【手続補正書】
【提出日】平成15年11月7日(2003.11.7)
【手続補正１】
【補正対象書類名】明細書
【補正対象項目名】発明の名称
【補正方法】変更
【補正の内容】
【発明の名称】情報処理装置及びその制御方法、情報処理システム及びその制御方法、制御プログラム、並びに制御プログラムを提供する媒体
【手続補正２】
【補正対象書類名】明細書
【補正対象項目名】特許請求の範囲
【補正方法】変更
【補正の内容】
【特許請求の範囲】
【請求項１】
印刷装置への印刷データの送信スケジューリング処理をする装置と通信可能な情報処理装置において、
印刷データの生成に伴い前記送信スケジューリング処理をする装置との接続処理を行う接続制御手段と、
前記接続処理に基づき行われる印刷データの送信スケジューリング処理に従い印刷データを前記印刷装置に投入する投入手段と、
前記印刷装置における前記印刷データの処理完了の後に前記送信スケジューリング処理をする装置への接続を解除する接続解除手段とを備えたことを特徴とする情報処理装置。
【請求項２】
前記印刷ジョブの処理完了は、前記装置から通知される前記印刷ジョブの完了通知に基づき認識されるものであることを特徴とする請求項１に記載の情報処理装置。
【請求項３】
前記送信スケジューリング処理は、前記送信スケジューリング処理をする装置による印刷データの前記印刷装置への送信指示であることを特徴とする請求項１又は２に記載の情報処理装置。
【請求項４】
前記接続解除手段による解除処理は、前記印刷データの印刷処理が完了した時点から予め設定された時間経過した後、前記送信スケジューリング処理をする装置との接続を解除することを特徴とする請求項１から３の何れかに記載の情報処理装置。
【請求項５】
複数の印刷データに対応してそれぞれ固有のジョブ情報を登録する登録制御手段と、
前記ジョブ情報に対応した前記印刷データの処理が完了してから所定時間後に前記クライアント情報を削除する削除手段と、
前記ジョブ情報に対応した印刷データの処理が完了した場合に、他のジョブ情報があれば、前記完了を認識してから前記所定時間後に接続を解除しないようにする処理手段とを有することを特徴とする請求項１から４の何れかに記載の情報処理装置。
【請求項６】
前記接続制御手段による接続処理は、当該情報処理装置に係るクライアント情報を前記送信スケジューリング処理をする装置に登録する処理であることを特徴とする請求項１から５の何れかに記載の情報処理装置。
【請求項７】
前記接続制御手段は、前記登録する処理において前記送信スケジューリング処理をする装置により登録装置の数が制限値を超えていたことに応じて登録を拒否された場合に、前記装置に対して接続要求の再試行を行うことを特徴とする請求項６に記載の情報処理装置。
【請求項８】
前記印刷データはジョブに対応するものであることを特徴とする請求項１から７の何れかに記載の情報処理装置。
【請求項９】
所定の通信回線を介して通信可能とされた送信スケジューリング処理をする装置からの印刷ジョブを処理する情報処理装置において、
前記送信スケジューリング処理をする装置に対応したクライアント情報を登録する第一の登録手段と、
前記クライアント情報に対応付けたジョブ情報を登録する第二の登録手段と、
ジョブ処理が完了して所定時間後に前記クライアント情報を削除する削除手段と、
前記ジョブ情報に対応したジョブ処理が完了した場合に、前記クライアント情報に対応した他のジョブ情報があれば所定時間後に前記クライアント情報を削除しないよう処理する処理手段とを有することを特徴とする情報処理装置。
【請求項１０】
ネットワーク上の印刷装置を送信スケジューリング処理をする装置と前記ネットワークを介して接続される情報処理装置において、
印刷データの生成に伴い前記装置との接続処理を行う接続制御手段と、
前記印刷データの処理完了後に前記装置との接続を解除する接続解除手段とを備え、
前記接続解除手段による解除処理は、前記印刷データの印刷完了が確認不能で終了した時点から予め設定された時間経過した後、前記送信スケジューリング処理をする装置との接続を解除することを特徴とする情報処理装置。
【請求項１１】
ネットワーク上の印刷装置を送信スケジューリング処理をする装置と前記ネットワークを介して接続される情報処理装置において、
印刷データの生成に伴い前記装置との接続処理を行う接続制御手段と、
前記印刷データの処理完了後に前記装置との接続を解除する接続解除手段とを備え、
前記接続解除手段による解除処理は、前記印刷データの印刷処理を中止する指示を受けた時点から予め設定された時間経過した後、前記装置との接続を解除することを特徴とする情報処理装置。
【請求項１２】
ネットワーク上の印刷装置を送信スケジューリング処理をする装置と、前記装置と前記ネットワークを介して接続される情報処理装置とを備えた情報処理システムにおいて、
前記情報処理装置は、
印刷ジョブの生成後に前記装置との接続処理を行う接続制御手段と、
前記接続手段によりなされた接続を介して印刷ジョブに係る処理を行う処理手段と、
前記印刷データの処理完了の後に前記装置との接続を解除する接続解除手段とを備えたことを特徴とする情報処理システム。
【請求項１３】
印刷装置への印刷データの送信スケジューリング処理をする装置と通信可能な情報処理装置の制御方法を実行するための、コンピュータで読み取り可能な制御プログラムであって、
印刷データの生成に伴い前記送信スケジューリング処理をする装置との接続処理を行う接続制御ステップと、
前記接続処理に基づき行われる印刷データの送信スケジューリング処理に従い印刷データを前記印刷装置に投入する投入ステップと、
前記印刷装置における前記印刷データの処理完了の後に前記送信スケジューリング処理をする装置への接続を解除する接続解除ステップとを備えたことを特徴とする制御プログラム。
【請求項１４】
前記印刷ジョブの処理完了は、前記装置から通知される前記印刷ジョブの完了通知に基づき認識されるものであることを特徴とする請求項１３に記載の制御プログラム。
【請求項１５】
前記送信スケジューリング処理は、前記送信スケジューリング処理をする装置による印刷データの前記印刷装置への送信指示であることを特徴とする請求項１３又は１４に記載の制御プログラム。
【請求項１６】
前記接続解除ステップによる解除処理は、前記印刷データの印刷処理が完了した時点から予め設定された時間経過した後、前記送信スケジューリング処理をする装置との接続を解除することを特徴とする請求項１３から１５の何れかに記載の制御プログラム。
【請求項１７】
複数の印刷データに対応してそれぞれ固有のジョブ情報を登録する登録制御ステップと、
前記ジョブ情報に対応した前記印刷データの処理が完了してから所定時間後に前記クライアント情報を削除する削除ステップと、
前記ジョブ情報に対応した印刷データの処理が完了した場合に、他のジョブ情報があれば、前記完了を認識してから前記所定時間後に接続を解除しないようにする処理ステップとを有することを特徴とする請求項１３から１６の何れかに記載の制御プログラム。
【請求項１８】
前記接続制御ステップによる接続処理は、当該情報処理装置に係るクライアント情報を前記送信スケジューリング処理をする装置に登録する処理であることを特徴とする請求項１３から１７の何れかに記載の制御プログラム。
【請求項１９】
前記接続制御ステップは、前記登録する処理において前記送信スケジューリング処理をする装置により登録装置の数が制限値を超えていたことに応じて登録を拒否された場合に、前記装置に対して接続要求の再試行を行うことを特徴とする請求項１８に記載の制御プログラム。
【請求項２０】
前記印刷データは、ジョブに対応するものであることを特徴とする請求項１３から１９の何れかに記載の制御プログラム。
【請求項２１】
所定の通信回線を介して通信可能とされた送信スケジューリング処理をする装置からの印刷ジョブを処理する情報処理装置の制御方法を実行するための、コンピュータで読み取り可能な制御プログラムであって、
前記送信スケジューリング処理をする装置に対応したクライアント情報を登録する第一の登録ステップと、
前記クライアント情報に対応付けたジョブ情報を登録する第二の登録ステップと、
ジョブ処理が完了して所定時間後に前記クライアント情報を削除する削除ステップと、
前記ジョブ情報に対応したジョブ処理が完了した場合に、前記クライアント情報に対応した他のジョブ情報があれば所定時間後に前記クライアント情報を削除しないよう処理する処理ステップとを有することを特徴とする制御プログラム。
【請求項２２】
ネットワーク上の印刷装置を送信スケジューリング処理をする装置と前記ネットワークを介して接続される情報処理装置の制御方法を実行するための、コンピュータで読み取り可能な制御プログラムであって、
印刷データの生成に伴い前記装置との接続処理を行う接続制御ステップと、
前記印刷データの処理完了後に前記装置との接続を解除する接続解除ステップとを備え、
前記接続解除ステップによる解除処理は、前記印刷データの印刷完了が確認不能で終了した時点から予め設定された時間経過した後、前記送信スケジューリング処理をする装置との接続を解除することを特徴とする制御プログラム。
【請求項２３】
ネットワーク上の印刷装置を送信スケジューリング処理をする装置と前記ネットワークを介して接続される情報処理装置の制御方法を実行するための、コンピュータで読み取り可能な制御プログラムであって、
印刷データの生成に伴い前記装置との接続処理を行う接続制御ステップと、
前記印刷データの処理完了後に前記装置との接続を解除する接続解除ステップとを備え、前記接続解除ステップによる解除処理は、前記印刷データの印刷処理を中止する指示を受けた時点から予め設定された時間経過した後、前記装置との接続を解除することを特徴とする制御プログラム。
【請求項２４】
ネットワーク上の印刷装置を送信スケジューリング処理をする装置と、前記装置と前記ネットワークを介して接続される情報処理装置とを備えた情報処理システムの制御方法を実行するための、コンピュータで読み取り可能な制御プログラムであって、
印刷ジョブの生成後に前記装置との接続処理を行う接続制御ステップと、
前記接続ステップによりなされた接続を介して印刷ジョブに係る処理を行う処理ステップと、
前記印刷データの処理完了の後に前記装置との接続を解除する接続解除ステップとを備えたことを特徴とする制御プログラム。
【請求項２５】
印刷装置への印刷データの送信スケジューリング処理をする装置と通信可能な情報処理装置の制御方法において、
印刷データの生成に伴い前記送信スケジューリング処理をする装置との接続処理を行う接続制御工程と、
前記接続処理に基づき行われる印刷データの送信スケジューリング処理に従い印刷データを前記印刷装置に投入する投入工程と、
前記印刷装置における前記印刷データの処理完了の後に前記送信スケジューリング処理をする装置への接続を解除する接続解除工程とを有することを特徴とする情報処理装置の制御方法。
【請求項２６】
所定の通信回線を介して通信可能とされた送信スケジューリング処理をする装置からの印刷ジョブを処理する情報処理装置の制御方法において、
前記送信スケジューリング処理をする装置に対応したクライアント情報を登録する第一の登録工程と、
前記クライアント情報に対応付けたジョブ情報を登録する第二の登録工程と、ジョブ処理が完了して所定時間後に前記クライアント情報を削除する削除工程と、
前記ジョブ情報に対応したジョブ処理が完了した場合に、前記クライアント情報に対応した他のジョブ情報があれば所定時間後に前記クライアント情報を削除しないよう処理する処理工程とを有することを特徴とする情報処理装置の制御方法。
【請求項２７】
ネットワーク上の印刷装置を送信スケジューリング処理をする装置と前記ネットワークを介して接続される情報処理装置の制御方法において、
印刷データの生成に伴い前記装置との接続処理を行う接続制御工程と、
前記印刷データの処理完了後に前記装置との接続を解除する接続解除工程とを有し、
前記接続解除工程による解除処理は、前記印刷データの印刷完了が確認不能で終了した時点から予め設定された時間経過した後、前記送信スケジューリング処理をする装置との接続を解除することを特徴とする情報処理装置の制御方法。
【請求項２８】
ネットワーク上の印刷装置を送信スケジューリング処理をする装置と前記ネットワークを介して接続される情報処理装置の制御方法において、
印刷データの生成に伴い前記装置との接続処理を行う接続制御工程と、
前記印刷データの処理完了後に前記装置との接続を解除する接続解除工程とを有し、前記接続解除工程による解除処理は、前記印刷データの印刷処理を中止する指示を受けた時点から予め設定された時間経過した後、前記装置との接続を解除することを特徴とする情報処理装置の制御方法。
【請求項２９】
ネットワーク上の印刷装置を送信スケジューリング処理をする装置と、前記装置と前記ネットワークを介して接続される情報処理装置とを備えた情報処理システムの制御方法において、
前記情報処理装置は、
印刷ジョブの生成後に前記装置との接続処理を行う接続制御工程と、
前記接続工程によりなされた接続を介して印刷ジョブに係る処理を行う処理工程と、
前記印刷データの処理完了の後に前記装置との接続を解除する接続解除工程とを有することを特徴とする情報処理システムの制御方法。
【請求項３０】
印刷装置への印刷データの送信スケジューリング処理をする装置と通信可能な情報処理装置の制御方法を実行するための制御プログラムを提供する媒体であって、
印刷データの生成に伴い前記送信スケジューリング処理をする装置との接続処理を行う接続制御ステップと、
前記接続処理に基づき行われる印刷データの送信スケジューリング処理に従い印刷データを前記印刷装置に投入する投入ステップと、
前記印刷装置における前記印刷データの処理完了の後に前記送信スケジューリング処理をする装置への接続を解除する接続解除ステップとを有することを特徴とする制御プログラムを提供する媒体。
【請求項３１】
所定の通信回線を介して通信可能とされた送信スケジューリング処理をする装置からの印刷ジョブを処理する情報処理装置の制御方法を実行するための制御プログラムを提供する媒体であって、
前記制御プログラムは、
前記送信スケジューリング処理をする装置に対応したクライアント情報を登録する第一の登録ステップと、
前記クライアント情報に対応付けたジョブ情報を登録する第二の登録ステップと、ジョブ処理が完了して所定時間後に前記クライアント情報を削除する削除ステップと、
前記ジョブ情報に対応したジョブ処理が完了した場合に、前記クライアント情報に対応した他のジョブ情報があれば所定時間後に前記クライアント情報を削除しないよう処理する処理ステップとを有することを特徴とする制御プログラムを提供する媒体。
【請求項３２】
ネットワーク上の印刷装置を送信スケジューリング処理をする装置と前記ネットワークを介して接続される情報処理装置の制御方法を実行するための制御プログラムを提供する媒体であって、
前記制御プログラムは、
印刷データの生成に伴い前記装置との接続処理を行う接続制御ステップと、
前記印刷データの処理完了後に前記装置との接続を解除する接続解除ステップとを有し、
前記接続解除ステップによる解除処理は、前記印刷データの印刷完了が確認不能で終了した時点から予め設定された時間経過した後、前記送信スケジューリング処理をする装置との接続を解除することを特徴とする制御プログラムを提供する媒体。
【請求項３３】
ネットワーク上の印刷装置を送信スケジューリング処理をする装置と前記ネットワークを介して接続される情報処理装置の制御方法を実行するための制御プログラムを提供する媒体であって、
前記制御プログラムは、
印刷データの生成に伴い前記装置との接続処理を行う接続制御ステップと、
前記印刷データの処理完了後に前記装置との接続を解除する接続解除ステップとを有し、前記接続解除ステップによる解除処理は、前記印刷データの印刷処理を中止する指示を受けた時点から予め設定された時間経過した後、前記装置との接続を解除することを特徴とする制御プログラムを提供する媒体。
【請求項３４】
ネットワーク上の印刷装置を送信スケジューリング処理をする装置と、前記装置と前記ネットワークを介して接続される情報処理装置とを備えた情報処理システムの制御方法を実行するための制御プログラムを提供する媒体であって、
前記制御プログラムは、
印刷ジョブの生成後に前記装置との接続処理を行う接続制御ステップと、
前記接続ステップによりなされた接続を介して印刷ジョブに係る処理を行う処理ステップと、
前記印刷データの処理完了の後に前記装置との接続を解除する接続解除ステップとを有することを特徴とする制御プログラムを提供する媒体。
【手続補正３】
【補正対象書類名】明細書
【補正対象項目名】０００１
【補正方法】変更
【補正の内容】
【０００１】
【発明の属する技術分野】
本発明は、印刷装置へ出力する印刷データの送信スケジューリング等の管理を行う印刷サーバなどの装置と通信可能な情報処理装置及びその制御方法、並びに前記情報処理装置を備えた情報処理システム及びその制御方法等に関する。


【手続補正４】
【補正対象書類名】明細書
【補正対象項目名】０００５
【補正方法】変更
【補正の内容】
【０００５】
本発明は上記従来の問題点に鑑み、ネットワークに接続されたプリンタを、該ネットワーク上の複数の印刷クライアントＰＣで利用するために印刷サーバＰＣを有する情報処理システムにおいて、印刷サーバＰＣの負荷を軽減する機能を備えた情報処理装置及びその制御方法、情報処理システム及びその制御方法、制御プログラム、並びに制御プログラムを提供する媒体を提供することを目的とする。


【手続補正５】
【補正対象書類名】明細書
【補正対象項目名】０００６
【補正方法】変更
【補正の内容】
【０００６】
【課題を解決するための手段】
上記目的を達成するために、本発明の情報処理装置では、印刷装置への印刷データの送信スケジューリング処理をする装置と通信可能な情報処理装置において、印刷データの生成に伴い前記送信スケジューリング処理をする装置との接続処理を行う接続制御手段と、前記接続処理に基づき行われる印刷データの送信スケジューリング処理に従い印刷データを前記印刷装置に投入する投入手段と、前記印刷装置における前記印刷データの処理完了の後に前記送信スケジューリング処理をする装置への接続を解除する接続解除手段とを備えたことを特徴とする。


【手続補正６】
【補正対象書類名】明細書
【補正対象項目名】０００７
【補正方法】変更
【補正の内容】
【０００７】
本発明の情報処理装置では、所定の通信回線を介して通信可能とされた送信スケジューリング処理をする装置からの印刷ジョブを処理する情報処理装置において、前記送信スケジューリング処理をする装置に対応したクライアント情報を登録する第一の登録手段と、前記クライアント情報に対応付けたジョブ情報を登録する第二の登録手段と、ジョブ処理が完了して所定時間後に前記クライアント情報を削除する削除手段と、前記ジョブ情報に対応したジョブ処理が完了した場合に、前記クライアント情報に対応した他のジョブ情報があれば所定時間後に前記クライアント情報を削除しないよう処理する処理手段とを有することを特徴とする。


【手続補正７】
【補正対象書類名】明細書
【補正対象項目名】０００８
【補正方法】変更
【補正の内容】
【０００８】
本発明の情報処理装置では、ネットワーク上の印刷装置を送信スケジューリング処理をする装置と前記ネットワークを介して接続される情報処理装置において、印刷データの生成に伴い前記装置との接続処理を行う接続制御手段と、前記印刷データの処理完了後に前記装置との接続を解除する接続解除手段とを備え、前記接続解除手段による解除処理は、前記印刷データの印刷完了が確認不能で終了した時点から予め設定された時間経過した後、前記送信スケジューリング処理をする装置との接続を解除することを特徴とする。


【手続補正８】
【補正対象書類名】明細書
【補正対象項目名】０００９
【補正方法】変更
【補正の内容】
【０００９】
本発明の情報処理装置では、ネットワーク上の印刷装置を送信スケジューリング処理をする装置と前記ネットワークを介して接続される情報処理装置において、印刷データの生成に伴い前記装置との接続処理を行う接続制御手段と、前記印刷データの処理完了後に前記装置との接続を解除する接続解除手段とを備え、前記接続解除手段による解除処理は、前記印刷データの印刷処理を中止する指示を受けた時点から予め設定された時間経過した後、前記装置との接続を解除することを特徴とする。


【手続補正９】
【補正対象書類名】明細書
【補正対象項目名】００１０
【補正方法】変更
【補正の内容】
【００１０】
本発明の情報処理システムでは、ネットワーク上の印刷装置を送信スケジューリング処理をする装置と、前記装置と前記ネットワークを介して接続される情報処理装置とを備えた情報処理システムにおいて、前記情報処理装置は、印刷ジョブの生成後に前記装置との接続処理を行う接続制御手段と、前記接続手段によりなされた接続を介して印刷ジョブに係る処理を行う処理手段と、前記印刷データの処理完了の後に前記装置との接続を解除する接続解除手段とを備えたことを特徴とする。


【手続補正１０】
【補正対象書類名】明細書
【補正対象項目名】００１１
【補正方法】変更
【補正の内容】
【００１１】
本発明の制御プログラムでは、印刷装置への印刷データの送信スケジューリング処理をする装置と通信可能な情報処理装置の制御方法を実行するための、コンピュータで読み取り可能な制御プログラムであって、印刷データの生成に伴い前記送信スケジューリング処理をする装置との接続処理を行う接続制御ステップと、前記接続処理に基づき行われる印刷データの送信スケジューリング処理に従い印刷データを前記印刷装置に投入する投入ステップと、前記印刷装置における前記印刷データの処理完了の後に前記送信スケジューリング処理をする装置への接続を解除する接続解除ステップとを備えたことを特徴とする。
【手続補正１１】
【補正対象書類名】明細書
【補正対象項目名】００１２
【補正方法】変更
【補正の内容】
【００１２】
本発明の制御プログラムでは、所定の通信回線を介して通信可能とされた送信スケジューリング処理をする装置からの印刷ジョブを処理する情報処理装置の制御方法を実行するための、コンピュータで読み取り可能な制御プログラムであって、前記送信スケジューリング処理をする装置に対応したクライアント情報を登録する第一の登録ステップと、前記クライアント情報に対応付けたジョブ情報を登録する第二の登録ステップと、ジョブ処理が完了して所定時間後に前記クライアント情報を削除する削除ステップと、前記ジョブ情報に対応したジョブ処理が完了した場合に、前記クライアント情報に対応した他のジョブ情報があれば所定時間後に前記クライアント情報を削除しないよう処理する処理ステップとを有することを特徴とする。
【手続補正１２】
【補正対象書類名】明細書
【補正対象項目名】００１３
【補正方法】変更
【補正の内容】
【００１３】
本発明の制御プログラムでは、ネットワーク上の印刷装置を送信スケジューリング処理をする装置と前記ネットワークを介して接続される情報処理装置の制御方法を実行するための、コンピュータで読み取り可能な制御プログラムであって、印刷データの生成に伴い前記装置との接続処理を行う接続制御ステップと、前記印刷データの処理完了後に前記装置との接続を解除する接続解除ステップとを備え、前記接続解除ステップによる解除処理は、前記印刷データの印刷完了が確認不能で終了した時点から予め設定された時間経過した後、前記送信スケジューリング処理をする装置との接続を解除することを特徴とする。
【手続補正１３】
【補正対象書類名】明細書
【補正対象項目名】００１４
【補正方法】変更
【補正の内容】
【００１４】
本発明の制御プログラムでは、ネットワーク上の印刷装置を送信スケジューリング処理をする装置と前記ネットワークを介して接続される情報処理装置の制御方法を実行するための、コンピュータで読み取り可能な制御プログラムであって、印刷データの生成に伴い前記装置との接続処理を行う接続制御ステップと、前記印刷データの処理完了後に前記装置との接続を解除する接続解除ステップとを備え、前記接続解除ステップによる解除処理は、前記印刷データの印刷処理を中止する指示を受けた時点から予め設定された時間経過した後、前記装置との接続を解除することを特徴とする。
【手続補正１４】
【補正対象書類名】明細書
【補正対象項目名】００１５
【補正方法】変更
【補正の内容】
【００１５】
本発明の制御プログラムでは、ネットワーク上の印刷装置を送信スケジューリング処理をする装置と、前記装置と前記ネットワークを介して接続される情報処理装置とを備えた情報処理システムの制御方法を実行するための、コンピュータで読み取り可能な制御プログラムであって、印刷ジョブの生成後に前記装置との接続処理を行う接続制御ステップと、前記接続ステップによりなされた接続を介して印刷ジョブに係る処理を行う処理ステップと、前記印刷データの処理完了の後に前記装置との接続を解除する接続解除ステップとを備えたことを特徴とする。
【手続補正１５】
【補正対象書類名】明細書
【補正対象項目名】００１６
【補正方法】変更
【補正の内容】
【００１６】
本発明の情報処理装置の制御方法では、印刷装置への印刷データの送信スケジューリング処理をする装置と通信可能な情報処理装置の制御方法において、印刷データの生成に伴い前記送信スケジューリング処理をする装置との接続処理を行う接続制御工程と、前記接続処理に基づき行われる印刷データの送信スケジューリング処理に従い印刷データを前記印刷装置に投入する投入工程と、前記印刷装置における前記印刷データの処理完了の後に前記送信スケジューリング処理をする装置への接続を解除する接続解除工程とを有することを特徴とする。
【手続補正１６】
【補正対象書類名】明細書
【補正対象項目名】００１７
【補正方法】変更
【補正の内容】
【００１７】
本発明の情報処理装置の制御方法では、所定の通信回線を介して通信可能とされた送信スケジューリング処理をする装置からの印刷ジョブを処理する情報処理装置の制御方法において、前記送信スケジューリング処理をする装置に対応したクライアント情報を登録する第一の登録工程と、前記クライアント情報に対応付けたジョブ情報を登録する第二の登録工程と、ジョブ処理が完了して所定時間後に前記クライアント情報を削除する削除工程と、前記ジョブ情報に対応したジョブ処理が完了した場合に、前記クライアント情報に対応した他のジョブ情報があれば所定時間後に前記クライアント情報を削除しないよう処理する処理工程とを有することを特徴とする。
【手続補正１７】
【補正対象書類名】明細書
【補正対象項目名】００１８
【補正方法】変更
【補正の内容】
【００１８】
本発明の情報処理装置の制御方法では、ネットワーク上の印刷装置を送信スケジューリング処理をする装置と前記ネットワークを介して接続される情報処理装置の制御方法において、印刷データの生成に伴い前記装置との接続処理を行う接続制御工程と、前記印刷データの処理完了後に前記装置との接続を解除する接続解除工程とを有し、前記接続解除工程による解除処理は、前記印刷データの印刷完了が確認不能で終了した時点から予め設定された時間経過した後、前記送信スケジューリング処理をする装置との接続を解除することを特徴とする。
【手続補正１８】
【補正対象書類名】明細書
【補正対象項目名】００１９
【補正方法】変更
【補正の内容】
【００１９】
本発明の情報処理装置の制御方法では、ネットワーク上の印刷装置を送信スケジューリング処理をする装置と前記ネットワークを介して接続される情報処理装置の制御方法において、印刷データの生成に伴い前記装置との接続処理を行う接続制御工程と、前記印刷データの処理完了後に前記装置との接続を解除する接続解除工程とを有し、前記接続解除工程による解除処理は、前記印刷データの印刷処理を中止する指示を受けた時点から予め設定された時間経過した後、前記装置との接続を解除することを特徴とする。
【手続補正１９】
【補正対象書類名】明細書
【補正対象項目名】００２０
【補正方法】変更
【補正の内容】
【００２０】
本発明の情報処理システムの制御方法では、ネットワーク上の印刷装置を送信スケジューリング処理をする装置と、前記装置と前記ネットワークを介して接続される情報処理装置とを備えた情報処理システムの制御方法において、前記情報処理装置は、印刷ジョブの生成後に前記装置との接続処理を行う接続制御工程と、前記接続工程によりなされた接続を介して印刷ジョブに係る処理を行う処理工程と、前記印刷データの処理完了の後に前記装置との接続を解除する接続解除工程とを有することを特徴とする。
【手続補正２０】
【補正対象書類名】明細書
【補正対象項目名】００２１
【補正方法】変更
【補正の内容】
【００２１】
本発明の制御プログラムを提供する媒体では、印刷装置への印刷データの送信スケジューリング処理をする装置と通信可能な情報処理装置の制御方法を実行するための制御プログラムを提供する媒体であって、印刷データの生成に伴い前記送信スケジューリング処理をする装置との接続処理を行う接続制御ステップと、前記接続処理に基づき行われる印刷データの送信スケジューリング処理に従い印刷データを前記印刷装置に投入する投入ステップと、前記印刷装置における前記印刷データの処理完了の後に前記送信スケジューリング処理をする装置への接続を解除する接続解除ステップとを有することを特徴とする。
【手続補正２１】
【補正対象書類名】明細書
【補正対象項目名】００２２
【補正方法】変更
【補正の内容】
【００２２】
本発明の制御プログラムを提供する媒体では、所定の通信回線を介して通信可能とされた送信スケジューリング処理をする装置からの印刷ジョブを処理する情報処理装置の制御方法を実行するための制御プログラムを提供する媒体であって、前記制御プログラムは、前記送信スケジューリング処理をする装置に対応したクライアント情報を登録する第一の登録ステップと、前記クライアント情報に対応付けたジョブ情報を登録する第二の登録ステップと、ジョブ処理が完了して所定時間後に前記クライアント情報を削除する削除ステップと、前記ジョブ情報に対応したジョブ処理が完了した場合に、前記クライアント情報に対応した他のジョブ情報があれば所定時間後に前記クライアント情報を削除しないよう処理する処理ステップとを有することを特徴とする。
【手続補正２２】
【補正対象書類名】明細書
【補正対象項目名】００２３
【補正方法】変更
【補正の内容】
【００２３】
本発明の制御プログラムを提供する媒体では、ネットワーク上の印刷装置を送信スケジューリング処理をする装置と前記ネットワークを介して接続される情報処理装置の制御方法を実行するための制御プログラムを提供する媒体であって、前記制御プログラムは、印刷データの生成に伴い前記装置との接続処理を行う接続制御ステップと、前記印刷データの処理完了後に前記装置との接続を解除する接続解除ステップとを有し、前記接続解除ステップによる解除処理は、前記印刷データの印刷完了が確認不能で終了した時点から予め設定された時間経過した後、前記送信スケジューリング処理をする装置との接続を解除することを特徴とする。
【手続補正２３】
【補正対象書類名】明細書
【補正対象項目名】００２４
【補正方法】変更
【補正の内容】
【００２４】
本発明の制御プログラムを提供する媒体では、ネットワーク上の印刷装置を送信スケジューリング処理をする装置と前記ネットワークを介して接続される情報処理装置の制御方法を実行するための制御プログラムを提供する媒体であって、前記制御プログラムは、印刷データの生成に伴い前記装置との接続処理を行う接続制御ステップと、前記印刷データの処理完了後に前記装置との接続を解除する接続解除ステップとを有し、前記接続解除ステップによる解除処理は、前記印刷データの印刷処理を中止する指示を受けた時点から予め設定された時間経過した後、前記装置との接続を解除することを特徴とする。
【手続補正２４】
【補正対象書類名】明細書
【補正対象項目名】００２５
【補正方法】変更
【補正の内容】
【００２５】
本発明の制御プログラムを提供する媒体では、ネットワーク上の印刷装置を送信スケジューリング処理をする装置と、前記装置と前記ネットワークを介して接続される情報処理装置とを備えた情報処理システムの制御方法を実行するための制御プログラムを提供する媒体であって、前記制御プログラムは、印刷ジョブの生成後に前記装置との接続処理を行う接続制御ステップと、前記接続ステップによりなされた接続を介して印刷ジョブに係る処理を行う処理ステップと、前記印刷データの処理完了の後に前記装置との接続を解除する接続解除ステップとを有することを特徴とする。
【手続補正２５】
【補正対象書類名】明細書
【補正対象項目名】０１０９
【補正方法】変更
【補正の内容】
【０１０９】
【発明の効果】
以上説明したように本発明によれば、送信スケジューリング処理をする装置への負荷を軽減することができ、システム全体のパフォーマンスを良好に保つことが可能になる。


【手続補正２６】
【補正対象書類名】明細書
【補正対象項目名】０１１０
【補正方法】削除
【補正の内容】
【手続補正２７】
【補正対象書類名】明細書
【補正対象項目名】０１１１
【補正方法】削除
【補正の内容】
【手続補正２８】
【補正対象書類名】明細書
【補正対象項目名】０１１２
【補正方法】削除
【補正の内容】